(57)【要約】      （修正有）【課題】外観上の美観を向上しつつ、展示者の展示意図や好みに応じて、適宜のタイミングで自由に各展示物を配置換えすることができ、かつ安定的に自立させることができる展示積み上げ体及び展示構造体を提供する。【解決手段】展示積み上げ体１は、正六角柱によりそれぞれ構成される複数の展示物２ａ〜２ｆを含み、それぞれが軸線を水平方向としつつ上下方向に複数段に積み上げられ、かつ、最下段から数えてＮ段目において互いに水平方向に隣り合って配置され、それぞれの正六角形の一頂点が最下部となった姿勢で配置されるとともに、それぞれの正六角形の鉛直方向の一辺が互いに密着して配置される、第１展示物及び第２展示物と、最下段から数えて（Ｎ＋１）段目に配置され、第１展示物及び第２展示物同士の間の上部に形成された二等辺三角柱状の凹みに対し下部が嵌合される第３展示物とを有する。【選択図】図１
0003231977.tif 000002
【実用新案登録請求の範囲】
【請求項１】
軸方向両端面が正六角形となる正六角柱によりそれぞれ構成される複数の展示物を含み、前記複数の展示物のそれぞれが軸線を水平方向としつつ上下方向に複数段に積み上げられ、かつ、所望の設置面に設置される展示積み上げ体であって、
最下段から数えてＮ段目（Ｎ：１以上の整数）において互いに水平方向に隣り合って配置され、それぞれの前記正六角形の一頂点が最下部となった姿勢で配置されるとともに、それぞれの前記正六角形の鉛直方向の一辺が互いに密着して配置される、第１展示物及び第２展示物と、
最下段から数えて（Ｎ＋１）段目に配置され、前記第１展示物及び前記第２展示物同士の間の上部に形成された二等辺三角柱状の凹みに対し下部が嵌合される第３展示物と、
を有し、
前記第１展示物、前記第２展示物、前記第３展示物を含む前記複数の展示物が互いに固定されることなく互いに密着して自立するハニカム構造体である、
ことを特徴とする展示積み上げ体。
【請求項２】
請求項１記載の展示積み上げ体において、
前記Ｎ段目において互いに水平方向に密着して配置され、前記第１展示物及び前記第２展示物を含むＭ個（Ｍ：２以上の整数）の前記展示物と、
前記Ｎ＋１段目において互いに水平方向に密着して配置され、前記第３展示物を含むＭ−１個の前記展示物と、
を含むことを特徴とする展示積み上げ体。
【請求項３】
請求項１又は請求項２記載の展示積み上げ体において、
前記複数の展示物のそれぞれは、鉱物原石から前記正六角柱状に切り出され、表面が鏡面仕上げされた鉱物展示物である
ことを特徴とする展示積み上げ体。
【請求項４】
請求項３記載の展示積み上げ体において、
前記鉱物展示物は、
前記正六角形の１辺の長さと、前記正六角柱の軸方向の寸法とが、等しい
ことを特徴とする展示積み上げ体。
【請求項５】
請求項４記載の展示積み上げ体において、
前記正六角形の１辺の長さ、及び、前記正六角柱の軸方向の寸法は、
１８ｍｍプラスマイナス５ｍｍの範囲内である
ことを特徴とする展示積み上げ体。
【請求項６】
請求項１又は請求項２記載の展示積み上げ体において、
前記複数の展示物のそれぞれは、前記正六角柱の外郭を構成する展示ケースと、
前記展示ケースの内部空間に配置された所望の展示要素と、
を含むことを特徴とする展示積み上げ体。
【請求項７】
請求項６記載の展示積み上げ体において、
前記展示要素は、
前記展示ケースよりも径方向寸法が小さい鉱物要素である
ことを特徴とする展示積み上げ体。
【請求項８】
設置面に設置され、鉛直方向から所定角度傾斜して前記設置面に立設される展示板を備えた展示台と、
軸方向両端面が正六角形となる正六角柱によりそれぞれ構成される複数の展示物を含み、前記複数の展示物のそれぞれが軸線を前記展示板の面方向に直交する第１方向としつつ前記面方向に沿う第２方向に複数段に積み上げられる展示積み上げ体と、
を有する展示構造体であって、
前記展示積み上げ体は、
最下段から数えてＮ段目（Ｎ：１以上の整数）において、前記第１方向及び前記第２方向にそれぞれ直交する第３方向に沿って互いに隣り合って配置され、それぞれの前記正六角形の一頂点を最下部とする姿勢でかつそれぞれの前記正六角形の鉛直方向の一辺が互いに密着して配置される、第１展示物及び第２展示物と、
最下段から数えて（Ｎ＋１）段目に配置され、前記第１展示物及び前記第２展示物同士の間に形成された二等辺三角柱状の凹みに対し嵌合される第３展示物と、
を有し、
最下段に配置される前記第１展示物及び前記第２展示物は、前記展示板に固定されており、
前記第１展示物、前記第２展示物、前記第３展示物を含む前記複数の展示物のうち、最下段に配置される前記第１展示物及び前記第２展示物を除くすべての前記展示物は、互いに固定されることなく互いに密着して自立するハニカム構造体である、
ことを特徴とする展示構造体。
【考案の詳細な説明】
【技術分野】
【０００１】
本考案は、展示積み上げ体及び展示構造体に関する。
【背景技術】
【０００２】
従来、鉱山の記念品や土産品として鉱物を展示するための額飾りが知られている（例えば、特許文献１参照）。この従来技術の額飾りでは、精錬された鉱物ではなく鉱石そのものを装飾することができ、記念品を所望する消費者の要望に対応できるものであった。
【先行技術文献】
【特許文献】
【０００３】
【特許文献１】実用新案登録第３０８６９４３号公報
【考案の概要】
【考案が解決しようとする課題】
【０００４】
上記従来技術の額飾りによる展示手法では、スライスした鉱物を支持体の凹部に収納するため、平面的で美観に乏しく、複数の展示物（鉱物）がある場合に適宜その配置替え等をしようとしても困難で、展示の利便性が低かった。
【０００５】
本考案の目的は、外観上の美観を向上しつつ、展示者の展示意図や好みに応じて、適宜のタイミングで自由に各展示物を配置換えすることができ、かつ安定的に自立させることができる展示積み上げ体及び展示構造体を提供することにある。
【課題を解決するための手段】
【０００６】
上記目的を達成するために、本願考案は、軸方向両端面が正六角形となる正六角柱によりそれぞれ構成される複数の展示物を含み、前記複数の展示物のそれぞれが軸線を水平方向としつつ上下方向に複数段に積み上げられ、かつ、所望の設置面に設置される展示積み上げ体であって、最下段から数えてＮ段目（Ｎ：１以上の整数）において互いに水平方向に隣り合って配置され、それぞれの前記正六角形の一頂点が最下部となった姿勢で配置されるとともに、それぞれの前記正六角形の鉛直方向の一辺が互いに密着して配置される、第１展示物及び第２展示物と、最下段から数えて（Ｎ＋１）段目に配置され、前記第１展示物及び前記第２展示物同士の間の上部に形成された二等辺三角柱状の凹みに対し下部が嵌合される第３展示物と、を有し、前記第１展示物、前記第２展示物、前記第３展示物を含む前記複数の展示物が互いに固定されることなく互いに密着して自立するハニカム構造体であることを特徴とする。
【０００７】
本願考案の展示積み上げ体によれば、正六角柱を用いた積層構造（ハニカム構造体）とすることにより、外観上の美観を向上しつつ展示を行うことができる。また、互いに固定しない積層構造とすることで、展示者の展示意図や好みに応じて、適宜にタイミングで自由に各展示物を配置換えすることができ、楽しみが増す。その際、下段側に位置する２つの六角形（第１展示物、第２展示物）について頂点を最下部にして載置しつつその上部に１つの六角形（第３展示物）を嵌め込む構造とすることで、第３展示物の自重を利用して第１及び第２展示物が左右に倒れるのを防止し安定的に自立させることができる。その結果、特に固定具や接着等を行わなくても、これら第１、第２、第３展示物を一体化した態様で展示を行うことができる。また第１展示物と第２展示物との間に隙間がなく、第１及び第２展示物と第３展示物との間にも隙間のない、ハニカム構造とすることにより、展示に必要なスペースを最小限にとどめることができる。
【考案の効果】
【０００８】
本考案の展示積み上げ体及び展示構造体によれば、外観上の美観を向上しつつ、展示者の展示意図や好みに応じて、適宜のタイミングで自由に各展示物を配置換えすることができ、かつ安定的に自立させることができる。
【図面の簡単な説明】
【０００９】
【図１】本考案の一実施形態による展示積み上げ体の構成を表す斜視図である。
【図２】本考案の一実施形態による展示物の詳細構造を表す斜視図である。
【図３】本考案の一実施形態による展示構造体の構成を表す斜視図である。
【考案を実施するための形態】
【００１０】
以下、本考案の一実施形態を図面を参照して説明する。図１に、本実施形態の展示積み上げ体の構成を示す。
【００１１】
図１の展示積み上げ体１は、６個の展示物２ａ、２ｂ、２ｃ、２ｄ、２ｅ、２ｆのそれぞれが軸方向Ｄで図示される軸線を水平方向としつつ上下方向に３段に積み上げられ、展示用テーブル１２を設置面として設置されることで構成されている。展示物２ａ〜ｆ（以下適宜、単に「展示物２」と総称する）は、軸方向両端面が正六角形となる正六角柱によりそれぞれ構成される。展示積み上げ体１の最下段から数えて１段目には３個の展示物２ａ、２ｂ、２ｃ、２段目には２個の展示物２ｄ、２ｅ、３段目には１個の展示物２ｆが配置されている。
【００１２】
展示物２ａ、２ｂ、２ｃ、展示物２ｄ、２ｅはそれぞれ、互いに水平方向に隣り合って配置され、それぞれの前記正六角形の一頂点が最下部となった姿勢で配置されるとともに、それぞれの前記正六角形の鉛直方向の一辺が互いに密着して配置される。展示物２ｆは前記正六角形の一頂点が最下部となった姿勢で配置される。展示物２ａ、２ｂ、２ｃの最下部の頂点はそれぞれ展示用テーブル１２の上面に接触している。
【００１３】
展示物２ｄ、２ｅは展示物２ａ、２ｂ、２ｃ同士の間の上部に形成された二等辺三角柱状の凹みに対し下部が嵌合されている。展示物２ｆは展示物２ｄ、２ｅ同士の間の上部に形成された二等辺三角柱状の凹みに対し下部が嵌合されている。
【００１４】
６個の展示物２ａ〜ｆは互いに固定されることなく互いに密着しており、設置面に自立するハニカム構造体としての展示積み上げ体１を構成している。
【００１５】
展示積み上げ体１は、最下段から数えてＮ段目（Ｎ：１以上の整数）において互いに水平方向に隣り合って配置され、それぞれの前記正六角形の一頂点が最下部となった姿勢で配置されるとともに、それぞれの前記正六角形の鉛直方向の一辺が互いに密着して配置される、第１展示物及び第２展示物と、最下段から数えて（Ｎ＋１）段目に配置され、前記第１展示物及び前記第２展示物同士の間の上部に形成された二等辺三角柱状の凹みに対し下部が嵌合される第３展示物とを有する。
【００１６】
展示積み上げ体１は、前記Ｎ段目において互いに水平方向に密着して配置され、前記第１展示物及び前記第２展示物を含むＭ個（Ｍ：２以上の整数）の前記展示物２と、前記Ｎ＋１段目において互いに水平方向に密着して配置され、前記第３展示物を含むＭ−１個の前記展示物２とを含む。
【００１７】
なお、展示物２ａ、２ｂは、Ｎ＝１、Ｍ＝２とした時の第１展示物及び第２展示物にそれぞれ相当しており、この場合、展示物２ａと展示物２ｂの上部にある展示物２ｄは第３展示物に相当する。
【００１８】
また、展示物２ｂ、２ｃも、Ｎ＝１、Ｍ＝２とした時の第１展示物及び第２展示物にそれぞれ相当しており、この場合、展示物２ｂと展示物２ｃの上部にある展示物２ｅが第３展示物に相当する。
【００１９】
また、展示物２ｄ、２ｅは、Ｎ＝２、Ｍ＝２とした時の第１展示物及び第２展示物にそれぞれ相当しており、この場合、展示物２ｄと展示物２ｅの上部にある展示物２ｆは第３展示物に相当する。
【００２０】
図１の展示積み上げ体１に含まれる展示物２ａ〜ｆのそれぞれは例えば、鉱物原石から正六角柱状に切り出され、表面が鏡面仕上げされた鉱物展示物である。前記鉱物展示物は、前記正六角柱の軸方向の両端面である正六角形の１辺の長さと、前記正六角柱の軸方向の寸法とが等しい。前記鉱物展示物は、前記正六角形の１辺の長さ、及び、前記正六角柱の軸方向の寸法が１８ｍｍプラスマイナス５ｍｍの範囲内である。
【００２１】
図１の展示積み上げ体１に含まれる展示物２ａ〜ｆのそれぞれは例えば、前記正六角柱の外郭を構成する展示ケースと、前記展示ケースの内部空間に配置された所望の展示要素とを含む。
【００２２】
図２に、本実施形態において展示物２が展示ケースと展示要素とを含む場合の構成を示す。図２（ａ）の展示物２は正六角柱の外郭を構成する展示ケース５を含む。展示ケース５は、上部が開口した箱体３と、箱体３の開口部をふさぐ正六角形薄板の蓋４とを含む。展示ケース５は透明の基材、例えば板状のアクリル樹脂などで形成される。展示ケース５の内部空間６に所望の展示要素を内包させることができるようになっている。
【００２３】
前記展示要素は、前記展示ケース５よりも径方向寸法が小さい鉱物要素である。図２（ｂ）は、図２（ａ）の展示ケース５に展示ケース５よりも小さい鉱物要素７が配置された状態を示す。例えば、展示ケース５の内部空間６に、レジンなどの透明樹脂を詰め、その中に鉱物要素７を埋め込ませることで鉱物要素７を展示ケース５の中に固定し収納することができる。蓋４は箱体３にはめこみ式となっていて、中の鉱物要素７を入れ替えることができるようになっていてもよいし、蓋４が箱体３に接着されていてもよい。鉱物要素７の展示ケース５への配置方法は上述したものに限定されずどのような方法でもよい。透明樹脂やクリスタルの中に鉱物要素７を埋め込んだものを正六角柱状に成形してもよい。
【００２４】
図３に、本実施形態の展示構造体の構成を示す。展示構造体８は、鉛直方向から所定角度で傾斜して設置面に立設される展示板１０とその下の水平台座９を備えた展示台１１と、展示積み上げ体１とを含む。前記所定角度は例えば１５°〜４５°の範囲である。水平台座９は設置面に対し水平に設置されている。展示積み上げ体１は、軸方向Ｄにおける両端面が正六角形となる正六角柱によりそれぞれ構成される複数の展示物２ｇ、２ｈ、２ｉ、２ｊ、２ｋ、２ｍ、２ｎ、２ｐ、２ｑ、２ｒを含み、前記複数の展示物２ｇ〜ｒ（以下適宜、単に「展示物２」と総称する）のそれぞれが軸線を前記展示板１０の面方向に直交する方向を第１方向（図３のＤ方向）としつつ前記面方向に沿う第２方向（図３のＹ方向）に４段に積み上げられている。
【００２５】
前記展示積み上げ体１は、最下段から数えてＮ段目（Ｎ：１以上の整数）において、前記第１方向及び前記第２方向にそれぞれ直交する第３方向（図３のＸ方向）に沿って互いに隣り合って配置され、それぞれの前記正六角形の一頂点を最下部とする姿勢でかつそれぞれの前記正六角形の鉛直方向の一辺が互いに密着して配置される、第１展示物及び第２展示物と、最下段から数えて（Ｎ＋１）段目に配置され、前記第１展示物及び前記第２展示物同士の間に形成された二等辺三角柱状の凹みに対し嵌合される第３展示物とを有する。
【００２６】
図３では、展示積み上げ体１の１段目にはＸ方向に沿って４個の展示物２ｇ、２ｈ、２ｉ、２ｊが、２段目にはＸ方向に沿って３個の展示物２ｋ、２ｍ、２ｎが、３段目にはＸ方向に沿って２個の展示物２ｐ、２ｑが、４段目にはＸ方向に沿って１個の展示物２ｒが配置されている。１〜３段目において各展示物２ｇ〜ｑはそれぞれの前記正六角形の一頂点を最下部とする姿勢でかつそれぞれの前記正六角形の鉛直方向の一辺が互いに密着して配置されている。４段目において展示物２ｒは前記正六角形の一頂点を最下部とする姿勢で配置されている。
【００２７】
展示物２ｋ、２ｍ、２ｎは展示物２ｇ、２ｈ、２ｉ、２ｊ同士の間の上部に形成された二等辺三角柱状の凹みに対し下部が嵌合されている。展示物２ｐ、２ｑは展示物２ｋ、２ｍ、２ｎ同士の間の上部に形成された二等辺三角柱状の凹みに対し下部が嵌合されている。展示物２ｒは展示物２ｐ、２ｑ同士の間の上部に形成された二等辺三角柱状の凹みに対し下部が嵌合されている。
【００２８】
なお、展示物２ｇ、２ｈは、Ｎ＝１とした時の第１展示物及び第２展示物にそれぞれ相当しており、この場合、それら第１展示物と第２展示物の上部にある、展示物２ｋは第３展示物に相当する。
【００２９】
また、展示物２ｈ、２ｉもＮ＝１とした時の第１展示物及び第２展示物にそれぞれ相当しており、この場合、それら第１展示物と第２展示物の上部にある、展示物２ｍが第３展示物に相当する。展示物２ｉ、２ｊもＮ＝１とした時の第１展示物及び第２展示物にそれぞれ相当しており、この場合、それら第１展示物と第２展示物の上部にある、展示物２ｎが第３展示物に相当する。
【００３０】
また、展示物２ｋ、２ｍは、Ｎ＝２とした時の第１展示物及び第２展示物にそれぞれ相当しており、この場合、それら第１展示物と第２展示物の上部にある展示物２ｐは第３展示物に相当する。
【００３１】
また、展示物２ｍ、２ｎも、Ｎ＝２とした時の第１展示物及び第２展示物にそれぞれ相当しており、この場合、それら第１展示物と第２展示物の上部にある展示物２ｑが第３展示物に相当する。
【００３２】
また、展示物２ｐ、２ｑは、Ｎ＝３とした時の第１展示物及び第２展示物にそれぞれ相当しており、この場合、それら第１展示物と第２展示物の上部にある展示物２ｒは第３展示物に相当する。
【００３３】
最下段に配置される前記第１展示物及び前記第２展示物は、前記展示板１０に固定されており、前記第１展示物、前記第２展示物、前記第３展示物を含む前記複数の展示物２ｇ〜ｒのうち、最下段に配置される前記第１展示物及び前記第２展示物２ｇ〜ｊを除く展示物２ｋ〜ｒは、互いに固定されることなく互いに密着して自立するハニカム構造である。
【００３４】
最下段に配置される前記第１展示物及び前記第２展示物を前記展示板１０に固定する方法としては、特に限定されず、例えば最下段に配置される展示物２のそれぞれの下部の少なくとも一部を支持する受け部を前記展示版１０に設けて、各展示物２をそこにはめこんで固定してもよいし、接着などの方法で固定してもよい。
【００３５】
＜実施形態の効果＞
以上説明したように、本実施形態の展示積み上げ体１においては、正六角柱を用いた積層構造（ハニカム構造体）とすることにより、外観上の美観を向上しつつ展示を行うことができる。また、互いに固定しない積層構造とすることで、展示者の展示意図や好みに応じて、適宜にタイミングで自由に各展示物２を配置換えすることができ、楽しみが増す。その際、下段側に位置する２つの六角形（第１展示物、第２展示物）について頂点を最下部にして載置しつつその上部に１つの六角形（第３展示物）を嵌め込む構造とすることで、第３展示物の自重を利用して第１及び第２展示物が左右に倒れるのを防止し安定的に自立させることができる。その結果、特に固定具や接着等を行わなくても、これら第１、第２、第３展示物を一体化した態様で展示を行うことができる。また第１展示物と第２展示物との間に隙間がなく、第１及び第２展示物と第３展示物との間にも隙間のない、ハニカム構造とすることにより、展示に必要なスペースを最小限にとどめることができる。
【００３６】
また、本実施形態の展示積み上げ体１においては、上段に行くにつれて配置される展示物２の個数が少なくなる、ピラミッド状の積層構造とすることで、外観上、優れた美観を提供することができる。
【００３７】
さらに、本実施形態の展示積み上げ体１によれば、鉱物を正六角柱に切り出して展示物２とすることで、従来の、透明ケース等に入れて水平配置して展示する等の場合に比べて、鉱物の様子を生々しく表現できかつ美しい外観を実現した展示を行うことができる。
【００３８】
また、展示物２の正六角形の１辺の長さと、前記正六角柱の軸方向の寸法とを等しくすることで、展示物２同士を積み上げた時の接触面が正方形となり、展示物２の積み上げ時、はめこみ時の自立安定性が向上する。例えば、前記正六角柱の軸方向の寸法を、正六角形の一辺よりも長くした場合、自立安定性においては確保できるものの、鉱物の加工しやすさが低下し、手に取った時の取り扱いのしやすさも低下する。
【００３９】
さらに、展示物２の正六角形の１辺の長さ、及び、前記正六角柱の軸方向の寸法を１８ｍｍプラスマイナス５ｍｍの範囲内とすることで、屋内や展示棚上での展示など限られたスペースにおいて多くの展示物２を展示できるとともに、展示物２に含まれる鉱物の色や質感を目立たせることが可能である。
【００４０】
前記正六角形の１辺の長さ、及び、前記正六角柱の軸方向の寸法が１３ｍｍ未満であると小さすぎて、外観上の鉱物の特徴（色、模様、粒の態様等）が出にくく展示物としての効果がなくなる。前記正六角形の１辺の長さ、及び、前記正六角柱の軸方向の寸法が２３ｍｍを超えると大きすぎて、原石から削り出し加工により形成するのが困難となる場合がある。また、限られたスペースで多くの展示を行うことが困難となる場合がある。しかし、広いスペースや野外などで展示を行う場合には必ずしもこれに限定されるものではない。
【００４１】
すなわち、本実施形態の展示積み上げ体１によれば、展示したい物そのものでは正六角柱を実現できない場合であっても、ハニカム構造を形作る展示ケース５内に展示要素として配置することで、前述と同様の展示態様を実現し、同様の効果を得ることができる。前記展示要素として、正六角柱に切り出せない鉱物原石の場合に特に好適である。
【００４２】
さらに、本実施形態の展示構造体８によれば、展示積み上げ体１の下部に配置された展示物２を展示台１１に固定して展示積み上げ体１の安定性を向上させることができるとともに、展示物２の配置替えも行いやすく、また、展示積み上げ体１を所望の角度で傾斜させ、それぞれの展示物２の美観をさらに楽しむことができる。
【００４３】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４４】
また、以上既に述べた以外にも、上記実施形態や各変形例による手法を適宜組み合わせて利用しても良い。
【００４５】
その他、一々例示はしないが、本考案は、その趣旨を逸脱しない範囲内において、種々の変更が加えられて実施されるものである。
【符号の説明】
【００４６】
１                展示積み上げ体
２、２ａ〜ｒ      展示物
３                箱体
４                蓋
５                展示ケース
６                内部空間
７                鉱物要素
８                展示構造体
９                水平台座
１０              展示板
１１              展示台
１２              展示用テーブル
【図１】
0003231977.tif 000003
【図２】
0003231977.tif 000004
【図３】
0003231977.tif 000005